【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
プロセスカートリッジが着脱可能で、記録媒体に画像を形成する画像形成装置において、
前記プロセスカートリッジおよび画像形成装置本体のうち、少なくとも前記プロセスカートリッジは記憶手段を有し、前記画像形成装置本体は前記記憶手段に入力された情報を読み出すための読み出し手段と、前記情報を処理する制御手段とを有することを特徴とする画像形成装置。
【請求項２】
前記プロセスカートリッジの記憶手段に記憶される情報は前記プロセスカートリッジの製造公差を補正するための情報である請求項１の画像形成装置。
【請求項３】
前記画像形成装置本体の記憶手段に記憶される情報は前記画像形成装置本体の製造公差を補正するための情報である請求項１の画像形成装置。
【請求項４】
前記プロセスカートリッジは現像剤担持体と、静電容量の変化を検知する現像剤残量検知手段とを有し、前記情報とは前記現像剤残量検知手段の位置に係わる補正情報である請求項２の画像形成装置。
【請求項５】
前記画像形成装置本体は現像剤残量検知用回路を有し、前記画像形成装置本体の製造公差を補正するための情報とは前記現像剤残量検知用回路に係わる補正情報である請求項３の画像形成装置。
【請求項６】
前記現像剤残量検知手段の位置の補正情報および／または前記現像剤残量検知用回路に係わる補正情報を前記読み出し手段によって読み出して、読み出した前記補正情報に基づいて現像剤残量検知を行うための制御を行う手段を有する請求項４または５の画像形成装置。
【請求項７】
前記プロセスカートリッジは、前記現像剤担持体を含む現像装置を有し、現像剤が前記現像装置の現像部に侵入するのを防止するための現像剤密封部材を有し、前記画像形成装置本体は、前記現像剤密封部材の取り外し忘れを検知し、画像形成装置の稼働を停止する手段を有する請求項６の画像形成装置。
【請求項８】
前記プロセスカートリッジは帯電手段を有し、前記情報とは前記帯電手段の抵抗値を補正するための補正情報である請求項２の画像形成装置。
【請求項９】
前記画像形成装置本体は前記帯電手段に帯電電圧を印加する手段を有し、前記情報とは前記帯電電圧に係わる補正情報である請求項３の画像形成装置。
【請求項１０】
前記帯電手段の抵抗値の補正情報および／または前記帯電電圧に係わる補正情報を前記読み出し手段によって読み出して、読み出した前記補正情報に基づいて帯電電圧の印加を行うための制御手段を有する請求項８または９の画像形成装置。
【請求項１１】
前記プロセスカートリッジは電子写真感光体と現像剤担持体とを有し、前記プロセスカートリッジの記憶手段に記憶される情報は前記電子写真感光体と前記現像剤担持体との距離に係わる補正情報である請求項２の画像形成装置。
【請求項１２】
前記プロセスカートリッジは現像剤担持体を有し、前記プロセスカートリッジの記憶手段に記憶される情報は、前記現像剤担持体に内包される磁界発生手段の磁極の向きおよび大きさに係わる補正情報である請求項２の画像形成装置。
【請求項１３】
前記画像形成装置本体は現像電圧を前記プロセスカートリッジに含まれる現像剤担持体に印加する手段を有し、前記画像形成装置本体の記憶手段に記憶される情報は前記現像電圧に係わる補正情報である請求項３の画像形成装置。
【請求項１４】
前記電子写真感光体と前記現像剤担持体との距離に係わる補正情報、前記磁界発生手段の磁極の向きおよび大きさに係わる補正情報、および前記現像電圧に係わる補正情報のうち少なくとも一つの補正情報を読み出す手段と、これらの補正情報に基づいて現像電圧の印加を行うための制御手段とを有する請求項１１、１２、または１３の画像形成装置。
【請求項１５】
画像形成装置本体に着脱可能なプロセスカートリッジにおいて、
電子写真感光体と、該電子写真感光体に作用するプロセス手段と、記憶手段とを有し、該記憶手段に記憶される情報はプロセスカートリッジの製造公差を補正するための補正情報であることを特徴とするプロセスカートリッジ。
【請求項１６】
前記プロセス手段は帯電手段を含み、前記記憶手段に記憶される前記補正情報は前記帯電手段の抵抗値に係わる補正情報である請求項１５のプロセスカートリッジ。
【請求項１７】
前記プロセス手段は現像剤担持体を含み、前記記憶手段に記憶される前記補正情報は前記現像剤担持体と前記電子写真感光体との距離に係わる補正情報である請求項１５のプロセスカートリッジ。
【請求項１８】
前記プロセス手段は現像剤担持体を含み、前記記憶手段に記憶される前記補正情報は前記現像剤担持体に内包される磁界発生手段の磁極の向きと大きさに係わる補正情報である請求項１５のプロセスカートリッジ。
【手続補正２】
【補正対象書類名】明細書
【補正対象項目名】００１０
【補正方法】変更
【補正の内容】
【００１０】
【課題を解決するための手段】
上記目的は本発明に係る画像形成装置およびプロセスカートリッジにて達成される。要約すれば、本発明は、プロセスカートリッジが着脱可能で、記録媒体に画像を形成する画像形成装置において、前記プロセスカートリッジおよび画像形成装置本体のうち、少なくとも前記プロセスカートリッジは記憶手段を有し、前記画像形成装置本体は前記記憶手段に入力された情報を読み出すための読み出し手段と、前記情報を処理する制御手段とを有することを特徴とする画像形成装置である。


【手続補正３】
【補正対象書類名】明細書
【補正対象項目名】００１２
【補正方法】変更
【補正の内容】
【００１２】
別の態様によれば、前記プロセスカートリッジは現像剤担持体と、静電容量の変化を検知する現像剤残量検知手段とを有し、前記情報とは前記現像剤残量検知手段の位置に係わる補正情報であることが好ましい。前記画像形成装置本体は現像剤残量検知用回路を有し、前記画像形成装置本体の製造公差を補正するための情報とは前記現像剤残量検知用回路に係わる補正情報であることが好ましい。前記現像剤残量検知手段の位置の補正情報および／または前記現像剤残量検知用回路に係わる補正情報を前記読み出し手段によって読み出して、読み出した前記補正情報に基づいて現像剤残量検知を行うための制御を行う手段を有することが好ましい。


【手続補正４】
【補正対象書類名】明細書
【補正対象項目名】００１３
【補正方法】変更
【補正の内容】
【００１３】
前記プロセスカートリッジは、前記現像剤担持体を含む現像装置を有し、現像剤が前記現像装置の現像部に侵入するのを防止するための現像剤密封部材を有し、前記画像形成装置本体は、前記現像剤密封部材の取り外し忘れを検知し、画像形成装置の稼働を停止する手段を有することが好ましい。


【手続補正５】
【補正対象書類名】明細書
【補正対象項目名】００１４
【補正方法】変更
【補正の内容】
【００１４】
前記プロセスカートリッジは帯電手段を有し、前記情報とは前記帯電手段の抵抗値を補正するための補正情報であることが好ましい。前記画像形成装置本体は前記帯電手段に帯電電圧を印加する手段を有し、前記情報とは前記帯電電圧に係わる補正情報であることが好ましい。前記帯電手段の抵抗値の補正情報および／または前記帯電電圧に係わる補正情報を前記読み出し手段によって読み出して、読み出した前記補正情報に基づいて帯電電圧の印加を行うための制御手段を有することが好ましい。


【手続補正６】
【補正対象書類名】明細書
【補正対象項目名】００１５
【補正方法】変更
【補正の内容】
【００１５】
前記プロセスカートリッジは電子写真感光体と現像剤担持体とを有し、前記プロセスカートリッジの記憶手段に記憶される情報は前記電子写真感光体と前記現像剤担持体との距離に係わる補正情報であることが好ましい。


【手続補正７】
【補正対象書類名】明細書
【補正対象項目名】００１６
【補正方法】変更
【補正の内容】
【００１６】
別の態様によれば、前記プロセスカートリッジは現像剤担持体を有し、前記プロセスカートリッジの記憶手段に記憶される情報は、前記現像剤担持体に内包される磁界発生手段の磁極の向きおよび大きさに係わる補正情報であることが好ましい。前記画像形成装置本体は現像電圧を前記プロセスカートリッジに含まれる現像剤担持体に印加する手段を有し、前記画像形成装置本体の記憶手段に記憶される情報は前記現像電圧に係わる補正情報であることが好ましい。


【手続補正８】
【補正対象書類名】明細書
【補正対象項目名】００１７
【補正方法】変更
【補正の内容】
【００１７】
前記電子写真感光体と前記現像剤担持体との距離に係わる補正情報、前記磁界発生手段の磁極の向きおよび大きさに係わる補正情報、および前記現像電圧に係わる補正情報のうち少なくとも一つの補正情報を読み出す手段と、これらの補正情報に基づいて現像電圧の印加を行うための制御手段とを有することが好ましい。


【手続補正９】
【補正対象書類名】明細書
【補正対象項目名】００１９
【補正方法】変更
【補正の内容】
【００１９】
前記プロセス手段は帯電手段を含み、前記記憶手段に記憶される前記補正情報は前記帯電手段の抵抗値に係わる補正情報であることが好ましい。別の態様によれば、前記プロセス手段は現像剤担持体を含み、前記記憶手段に記憶される前記補正情報は前記現像剤担持体と前記電子写真感光体との距離に係わる補正情報であることが好ましい。前記プロセス手段は現像剤担持体を含み、前記記憶手段に記憶される前記補正情報は前記現像剤担持体に内包される磁界発生手段の磁極の向きと大きさに係わる補正情報であることが好ましい。


【手続補正１０】
【補正対象書類名】明細書
【補正対象項目名】００７８
【補正方法】変更
【補正の内容】
【００７８】
更に、本実施例のカートリッジＣＲＧには第１実施例と同様の記憶手段１１５が搭載されている。